(57)【要約】【課題】  本発明が解決しようとする第一の課題は受光窓を前面から見て目立たない位置に配置し、デザイン性を向上させ、なおかつ従来レベルの受信精度を持つ床置き型空気調和機を提供することである。本発明が解決しようとする第二の課題は、受光部を前面部以外の場所に配置し室内ユニット前面部パネルをフラットにできる床置き型空気調和機を提供することである。【解決手段】  本発明が解決しようとする課題は、リモコンから送信される赤外線の送信信号を床面での反射を利用して受光できるように受光部の角度を調整することと、受光部の蓋に透明な樹脂素材を用いて赤外線の送信信号をできる限り集められるようにすることと、受光部の前面に取り付けられる受光窓を前面方向から目立たない位置に備えることで達成される。【選択図】図５
2010032101.tif 000002
【特許請求の範囲】
【請求項１】
外部キャビネット，熱交換機，送風機，化粧パネル，電子制御部，ワイヤレスリモコン、及び前記ワイヤレスリモコンの受光部を備える床置き型空気調和機において、前記受光部を正面から目立たない製品外部下面部に配置したことを特徴とする床置き型空気調和機。
【請求項２】
前記受光部のケースに赤外線を透過し易い樹脂材料を用い、壁や床で反射した前記ワイヤレスリモコンからの送信信号も受光可能とし、前記ワイヤレスリモコンの受信確率を向上させたことを特徴とする請求項１の床置き型空気調和機。
【発明の詳細な説明】
【技術分野】
【０００１】
本発明は床置き型の空気調和機に関する。
【背景技術】
【０００２】
一般的な床置き型空気調和機の受光部は受光素子を備えた受光基板と、その受光基板を取り付ける樹脂の基板サポートと、基板サポートに取り付けられ基板を保護する樹脂の蓋で構成される。また、一般的に受光部は室内ユニット内部に取り付けられる。このため、赤外線を透過する透明な樹脂で作成された受光窓が受光部の前面に備えられている。さらに、リモコンからの受信精度を高めるために、受光窓と受光部は床置き型空気調和機の前面側に配置されている。このため、前面部に配置された受光窓は前面部に備えられているパネルと材質が違う透明色のものであり非常に目立つ。このことから、前面部のパネルに受光部を備えることはリモコンの受信精度を上げることができるが、デザイン性が悪いという欠点があった。また、前面部パネルの一部を別部品の受光窓にしなければいけないという制約があるため、フラットのパネルを使用できないという欠点があった。
【特許文献１】特開平９−３０７９７６号公報
【発明の開示】
【発明が解決しようとする課題】
【０００３】
本発明が解決しようとする第一の課題は、受光窓を前面から見て目立たない位置に配置し、デザイン性を向上させ、なおかつ従来レベルの受信精度を持つ床置き型空気調和機を提供することである。
【０００４】
本発明が解決しようとする第二の課題は、受光部を前面部以外の場所に配置し室内ユニット前面部のパネルをフラットにできる床置き型空気調和機を提供することである。
【課題を解決するための手段】
【０００５】
本発明が解決しようとする第一の課題は、リモコンから送信される赤外線の送信信号を床面での反射を利用して受光できるように受光部の角度を調整することと、受光部の蓋に透明な樹脂素材を用いて赤外線の送信信号をできる限り集められるようにすることと、受光部の前面に取り付けられる受光窓を前面方向から目立たない位置に備えることで達成される。
【０００６】
本発明が解決しようとする第二の課題は、室内ユニット前面部パネル以外の部分に受光窓を備えることで達成される。
【発明の効果】
【０００７】
本発明によれば、目立たない位置に受光窓を配置した前面パネルがフラットな床置き型空気調和機を提供することができる。
【発明を実施するための最良の形態】
【０００８】
以下、本発明の床置き型空気調和機での一実施例について図１〜図５を用いて説明する。図１は、床置き型空気調和機の室内ユニット正面図、図２は床置き型空気調和機の室内ユニット側面図、図３は受光部の構成図、図４は室内ユニットに受光部が収められた部分の内部構成図、図５はリモコンと受光部の関係を表した図である。図１，図２において符号１で表すのは室内ユニットである。
【０００９】
この床置き型空気調和機は室内ユニット１が図示しない接続配管で図示しない室外ユニットに接続され、室内を空気調和するように構成されている。また、この床置型空気調和機を運転するときには図示なし電源に接続してリモコン５を操作し、所望の暖房，除湿，冷房などの運転を行う。
【００１０】
なお、この室内ユニット１は、上部に空気吸込み口１０を有すると共に下部の空気吹出し口１１を有する筐体２０と空気吸込み口１０の少なくとも一部を開閉するように設けられた可動パネル１５と空気吹出し口１１に上下に回動可能に設けられた上下風向板２５と、室内空気を空気吸込み口１０から吸込んで吹出し口から吹出すように筐体２０内に設置された図示なし送風装置と図示なし送風装置を駆動する図示なし送風モータと、送風装置周囲に配置された図示なし室内熱交換器と、前面部の開閉可能なフラットパネル３０と、空気吹出し口１１の右斜め下側に取り付けられた受光窓３５と、床面と接する置き台４０と、操作内容を表示する図示なし表示部と、室内ユニット１を制御するための図示なし電気品ボックスを備える。
【００１１】
また、リモコンから赤外線の送信信号を受光する受光部は、図３のように透明な樹脂を使用している受光部用の蓋５０と、受光基板５１と、基板に取り付けられた受光素子５２と、基板を取り付ける受光基板サポート５３を備え、図４のように受光窓の後方に取り付けられ、受光窓から入射してくる赤外線の送信信号を受光基板５１に取り付けられた受光素子５２で受光した後に、送信信号が図示なしコードを通って、図示なし電気品ボックス内に取り付けられた、図示なし電気基板のマイコンに送られ制御される。
【００１２】
本実施例では、リモコンからの送信信号と受光部の関係は図５のようになり、床面からの反射光を利用して受光する仕組みである。このため、受光部の配置角度は図５のように受光素子５２が受光できる角度αをもとに受光精度を考慮し決定している。また、受光窓３５は図１のように空気吹出し口の右斜め下側に取り付けられているため、前面から見えにくい位置に配置されている。さらに、この部分は前面部のフラットパネル３０と関係がない部分であるため、前面部パネルにフラットパネルを用いることができる。
【図面の簡単な説明】
【００１３】
【図１】床置き型空気調和機の正面図。
【図２】床置き型空気調和機の側面図。
【図３】受光部の構成図。
【図４】室内ユニットに受光部が収められた部分の内部構成図。
【図５】リモコンからの送信信号と受光部での受光関係。
【符号の説明】
【００１４】
１  床置き型空気調和機の室内ユニット
５  リモコン
１０  空気吸込み口
１１  空気吹出し口
１５  可動パネル
２０  筐体
２５  上下風向板
３０  フラットパネル
３５  受光窓
４０  置き台
５０  受光部用の蓋
５１  受光基板
５２  受光素子
５３  受光基板サポート
【図１】
2010032101.tif 000003
【図２】
2010032101.tif 000004
【図３】
2010032101.tif 000005
【図４】
2010032101.tif 000006
【図５】
2010032101.tif 000007